(57)【要約】【課題】  構成を簡略化し、かつ、劣化を防止する。【解決手段】  まず、通電台５に感電の危険性がないパイロット電位を印加し、座電極７における誘導電流を計測して、被治療者Ａの椅子４への着座に伴う電流値の変化によって高電圧印加可否を判定し、高電圧印加可能と判定された場合に、治療用高電圧を通電台５に印加する。また、被治療者Ａが椅子４から離れるのに伴う電流値の変化によって出力遮断要否を判定し、出力遮断要と判定された場合に、出力を遮断する。【選択図】  図３
2011024781.tif 000002
【特許請求の範囲】
【請求項１】
被治療者を高電位にして治療を行う電位治療装置であって、
治療のために高電圧が印加される主電極と、該主電極に高電圧を印加するための高電圧発生装置と、前記被治療者の着座を検出するための検出用電極とを備え、前記高電圧発生装置は、治療用の高電圧を前記主電極に印加する前に、この高電圧よりも低い低電圧を前記主電極に印加するとともに、前記主電極に前記低電圧が印加された状態で、前記被治療者の着座によって前記検出用電極に流れる誘導電流を検出して、前記被治療者の着座状態を検知する着座検知手段を設けたことを特徴とする電位治療装置。
【請求項２】
前記着座検知手段が前記被治療者の着座状態を検知した場合に、前記主電極への前記治療用の高電圧の印加を可と判定する高電圧印加可否判定手段と、前記高電圧の印加を可と判定された場合に、前記主電極へ前記高電圧を印加させる高電圧印加制御手段とを備えたことを特徴とする請求項１に記載の電位治療装置。
【請求項３】
前記着座検知手段は、前記主電極に前記高電圧が印加された状態で、前記被治療者の非着座による所定値より小さい電流を検出して、前記被治療者の非着座状態を検知し、
前記着座検知手段が、前記被治療者の非着座状態を検知した場合に、前記高電圧の出力の遮断を要と判定する出力遮断要否判定手段と、前記高電圧の出力の遮断を要と判定された場合に、前記高電圧の出力を遮断させる出力遮断制御手段とを備えたことを特徴とする請求項１又は２に記載の電位治療装置。
【請求項４】
前記電位治療器は、前記主電極としての第１の主電極及び第２の主電極を有し、前記第１の主電極及び前記第２の主電極に、前記低電圧としての第１の低電圧及び第２の低電圧がそれぞれ印加される場合に、前記第１の低電圧及び前記第２の低電圧の位相を同相とするように制御する極性制御手段を備えたことを特徴とする請求項１、２又は３に記載の電位治療装置。
【請求項５】
前記極性制御手段は、前記第１の主電極及び前記第２の主電極に、前記高電圧としての第１の高電圧及び第２の高電圧がそれぞれ印加される場合に、前記第１の高電圧及び前記第２の高電圧の位相を逆相とするように制御することを特徴とする請求項４に記載の電位治療装置。
【発明の詳細な説明】
【技術分野】
【０００１】
この発明は、人体に高電位を印加し、人体周囲に電界を形成して治療を行うための電位治療装置に係り、特に、人体の安全を確保しつつ、構成の簡略化が可能な電位治療装置に関する。
【背景技術】
【０００２】
電位治療装置は、絶縁された人体に高電位を与え、人体周囲に形成された電界による生体刺激作用を利用して、治療を行うものである。従来より、このような電位治療装置として、治療用椅子と一体化され、被治療者の足部を載せて高電位とする通電台を備えたものが提案されている（例えば、特許文献１参照。）。
【０００３】
図１０に示すように、こうした電位治療装置１０１は、電位治療器１０２と、高電圧発生装置１０３とを備えている。電位治療器１０２は、被治療者Ｃが座る椅子１０４と、被治療者Ｃの足が載置される通電台１０５と、絶縁台１０６とを有する。また、通電台１０５は絶縁体で覆われ、内部には下部電極１０７が埋設されている。
【０００４】
高電圧発生装置１０３は、構成各部を制御し安全装置を兼ねるコントローラ１０８と、商用電源Ｓｄの電圧を昇圧する昇圧トランス１０９と、昇圧トランス１０９の一次側に設けられた開閉スイッチ１１１と、下部電極１０７による感電を防止するために出力インピーダンスを高める安全抵抗１１２とを有する。被治療者Ｃが、椅子１０４に座り、大地（アース）から絶縁された状態で、被治療者Ｃに高電位が印加される。また、電位治療装置１０１から流出する電流が増大した場合に出力を遮断して、被治療者Ｃの安全を確保するように構成されている。
【０００５】
ところで、床に立ち、アース電位にある被治療者（人体）Ｃが、治療開始時に、高電位に印加されている通電台１０５に触れた場合や、治療後に、高電位にある被治療者Ｃが、アース電位にある床に降りた場合には、被治療者Ｃは、電撃を受けてしまう。このため、電位治療器１０２への乗降の際に、アースから絶縁されている絶縁台１０６に一旦乗って、人体を絶縁状態にする必要がある。
【先行技術文献】
【特許文献】
【０００６】
【特許文献１】特開平５−１２３４０５号公報
【発明の概要】
【発明が解決しようとする課題】
【０００７】
しかしながら、上記従来技術では、電撃防止のために、電位治療装置１０１への乗降時に、絶縁台１０６に乗って、人体を絶縁状態にする必要があるので、被治療者Ｃにとっては煩雑であり、電位治療装置としての構成も複雑となってしまう。また、電位治療装置から流出する電流が増大した場合に出力を遮断するので、被治療者Ｃがいないにも関わらず、高電位が印加されてしまい、無駄であるとともに高電位による電位治療装置の劣化を招いてしまう。
【０００８】
この発明は、前記の課題を解決し、構成を簡略化することができ、かつ、劣化を防止することができる電位治療装置を提供することを目的とする。
【課題を解決するための手段】
【０００９】
前記の課題を解決するために、請求項１の発明は、被治療者を高電位にして治療を行う電位治療装置であって、治療のために高電圧が印加される主電極と、該主電極に高電圧を印加するための高電圧発生装置と、前記被治療者の着座を検出するための検出用電極とを備え、前記高電圧発生装置は、治療用の高電圧を前記主電極に印加する前に、この高電圧よりも低い低電圧を前記主電極に印加するとともに、前記主電極に前記低電圧が印加された状態で、前記被治療者の着座によって前記検出用電極に流れる誘導電流を検出して、前記被治療者の着座状態を検知する着座検知手段を設けたことを特徴とする。
【００１０】
請求項１の発明では、高電圧発生装置が、主電極に治療用の高電圧よりも低い低電圧を印加して、着座検知手段が、被治療者の着座によって検出用電極に流れる誘導電流を検出して、被治療者の着座状態を検知する。
【００１１】
請求項２の発明は、請求項１に記載の電位治療装置であって、前記着座検知手段が前記被治療者の着座状態を検知した場合に、前記主電極への前記治療用の高電圧の印加を可と判定する高電圧印加可否判定手段と、前記高電圧の印加を可と判定された場合に、前記主電極へ前記高電圧を印加させる高電圧印加制御手段とを備えたことを特徴とする。
【００１２】
請求項３の発明は、請求項１又は２に記載の電位治療装置であって、前記着座検知手段は、前記主電極に前記高電圧が印加された状態で、前記被治療者の非着座による所定値より小さい電流を検出して、前記被治療者の非着座状態を検知し、前記着座検知手段が、前記被治療者の非着座状態を検知した場合に、前記高電圧の出力の遮断を要と判定する出力遮断要否判定手段と、前記高電圧の出力の遮断を要と判定された場合に、前記高電圧の出力を遮断させる出力遮断制御手段とを備えたことを特徴とする。
【００１３】
請求項４の発明は、請求項１、２又は３に記載の電位治療装置であって、前記電位治療器は、前記主電極としての第１の主電極及び第２の主電極を有し、前記第１の主電極及び前記第２の主電極に、前記低電圧としての第１の低電圧及び第２の低電圧がそれぞれ印加される場合に、前記第１の低電圧及び前記第２の低電圧の位相を同相とするように制御する極性制御手段を備えたことを特徴とする。
【００１４】
請求項５の発明は、請求項４に記載の電位治療装置であって、前記極性制御手段は、前記第１の主電極及び前記第２の主電極に、前記高電圧としての第１の高電圧及び第２の高電圧がそれぞれ印加される場合に、前記第１の高電圧及び前記第２の高電圧の位相を逆相とするように制御することを特徴とする。
【発明の効果】
【００１５】
請求項１の発明によれば、主電極に感電の危険性がない低電位を印加することによって、被治療者の安全を確保しつつ、着座検知手段が、電流値の変化を検知することによって、被治療者の着座を検知することができる。
【００１６】
請求項２の発明によれば、着座検知手段が被治療者の着座状態を検知した場合に、高電圧印加可否判定手段が主電極への高電圧の印加を可と判定し、高電圧印加制御手段が主電極へ高電圧を印加させるので、電位治療器へ乗る場合に、被治療者を絶縁状態にすることなく、かつ、安全を確保することができる。
【００１７】
請求項３の発明によれば、着座検知手段が主電極に高電圧が印加された状態で、被治療者の非着座状態を検知した場合に、出力遮断要否判定手段が高電圧の出力の遮断を要と判定し、出力遮断制御手段が高電圧の出力を遮断させるので、電位治療器から降りる場合に、被治療者を絶縁状態にすることなく、かつ、安全を確保することができる。加えて、被治療者の着座状態を検知した場合に、主電極へ高電圧を印加させることによって、従来用いられてきた絶縁台を不要とし、構成を簡略化することができる。
【００１８】
請求項４の発明によれば、第１の主電極及び第２の主電極に、低電圧としての第１の低電圧及び第２の低電圧がそれぞれ印加される場合に、第１の低電圧及び第２の低電圧の位相を同相とするように制御するので、弱い誘導電流であっても、着座検知手段によって容易にかつ確実に検出される。したがって、被治療者の着座の検知の精度を向上させることができる。
【００１９】
請求項５の発明によれば、第１の主電極及び第２の主電極に、高電圧としての第１の高電圧及び第２の高電圧がそれぞれ印加される場合に、第１の高電圧及び第２の高電圧の位相を逆相とするように制御するので、治療のための十分な電位差を確保することができる。
【図面の簡単な説明】
【００２０】
【図１】この発明の実施の形態１による電位治療装置の構成を示す斜視図である。
【図２】同電位治療装置の構成を示す被治療者が椅子に座った状態の斜視図である。
【図３】同電位治療装置の構成を説明するための回路図である。
【図４】同電位治療装置の動作を説明するための処理手順図である。
【図５】この発明の実施の形態２による電位治療装置の構成を示す斜視図である。
【図６】同電位治療装置の構成及び機能を説明するための説明図である。
【図７】同電位治療装置の構成及び機能を説明するための説明図である。
【図８】同電位治療装置の高電圧発生装置の構成を説明するための回路図である。
【図９】同電位治療装置の動作を説明するための処理手順図である。
【図１０】従来技術を説明するための回路図である。
【発明を実施するための形態】
【００２１】
次に、この発明の実施の形態について、図面を用いて詳しく説明する。
【００２２】
（実施の形態１）
図１はこの発明の実施の形態１による電位治療装置の構成を示す斜視図、図２は同電位治療装置の構成を示し被治療者が椅子に座った状態の斜視図、図３は同電位治療装置の構成を説明するための回路図、図４は同電位治療装置の動作を説明するための処理手順図である。
【００２３】
図１乃至図３に示すように、この実施の形態１の電位治療装置１は電位治療器２と、高電圧発生装置３とを備えている。電位治療器２は被治療者Ａが座る椅子４と、被治療者Ａの足が載置される通電台５とを有する。椅子４は絶縁体で覆われ、その座部６には被治療者Ａが座った状態で、被治療者Ａから誘導される電流を検知するための座電極７が埋設されている。通電台５は絶縁体で覆われ、内部には下部電極８が埋設されている。
【００２４】
また、被治療者Ａの下半身側面部を覆うサイドウォールの上部には、開始スイッチ９ａを含む操作部９が配置されている。座電極７は高電圧発生装置３の検出用端子１６ｄに接続され、下部電極８は電圧出力端子１６ｃに接続され、開始スイッチ９ａは接続端子１６ｅ，１６ｆに接続されている。なお、図３においては、説明の便宜上、操作部９を椅子４とは別の箇所に示す。
【００２５】
図３に示すように、高電圧発生装置３は、構成各部を制御し安全装置を兼ねるコントローラ１１と、商用電源Ｓａの電圧を昇圧する昇圧トランス１２と、昇圧トランス１２の一次側のタップを切り替えるための切替部１３と、下部電極８による感電を防止するために出力インピーダンスを高める安全抵抗１４と、商用電源Ｓａに接続される入力端子１６ａ，１６ｂと、下部電極８が接続される電圧出力端子１６ｃと、座電極７が接続される検出用端子１６ｄと、開始スイッチ９ａが接続される接続端子１６ｅ，１６ｆと、を有する。
【００２６】
コントローラ１１は、ＣＰＵを含む主制御部と、座電極７における誘導電流を計測するための電流計測部とを有する。主制御部は、誘導電流検知処理と、高電圧印加可否判定処理と、出力遮断要否判定処理とを実行する。主制御部は電流計測部からの信号に基づいて座電極７における誘導電流を検出して誘導電流検知処理を行う。
【００２７】
主制御部は検出された誘導電流に基づいてパイロット電位とされた場合に、被治療者Ａが通電台５に立ち、椅子４に座っていない状態で流れる電流Ｉｐから、椅子４に座った状態で流れる電流Ｉｑ（Ｉｐ＜＜Ｉｑ）に変化したと判断して高電圧印加可能と判定して高電圧印加可否判定処理を行う。（なお、被治療者Ｃが座っていない状態にあっても実際には座電極７に微弱な誘導電流が流れる。）そして、主制御部は誘導電流Ｉが所定の電流値Ｉａ（例えば、Ｉａ＝Ｉｐ）を越えた場合（Ｉ＞Ｉａ）に、高電圧印加可能と判定する。これにより、主制御部は切替部１３を制御してパイロット電位接点１３ｂから治療用高電位接点１３ｃへ切り替える。
【００２８】
主制御部は検出された誘導電流に基づいて治療用高電位とされた場合に、被治療者Ａが椅子４に座っている状態で流れる電流Ｉｒ（Ｉｑ＜＜Ｉｒ）から、椅子４から離れて通電台５に立った状態で流れる電流Ｉｓ（Ｉｓ＜＜Ｉｒ）に変化したと判断して、出力遮断要と判定して出力遮断要否判定処理を行う。すなわち、主制御部は、誘導電流Ｉが所定の電流値Ｉｂ（例えば、Ｉｂ＝Ｉｒ）より小さくなった場合（Ｉ＜Ｉｂ）に、出力遮断要と判定する。これにより、主制御部は、切替部１３を制御して、治療用高電位接点１３ｃからＯＦＦ接点１３ａへ切り替える。
【００２９】
切替部１３は、昇圧トランス１２の一次側に設けられ、入力を切断するためのＯＦＦ接点１３ａと、二次側に感電に危険性のない低電圧を発生させるためのパイロット電位接点１３ｂと、二次側に治療用の高電圧（例えば、７０００Ｖ〜９０００Ｖ）を発生させるための治療用高電位接点１３ｃと、を有する。
【００３０】
次に、図４を参照して、この実施の形態の電位治療装置１の動作について説明する。コントローラ１１の主制御部は、開始スイッチ９ａがオンとされると（ステップＳＡ１１（図４））、切替部１３を制御して、ＯＦＦ接点１３ａから、パイロット電位接点１３ｂへ切り替える。これにより、下部電極８にパイロット電位が印加される（ステップＳＡ１２）。この状態で、被治療者Ａは通電台５に立った後、椅子４に座る。
【００３１】
次に、主制御部は、ステップＳＡ１３で、誘導電流がＩａを越えるか否か判定し、誘導電流がＩａを越える場合はステップＳＡ１４へ進み、誘導電流がＩａ以下の場合はステップＳＡ１２へ戻る。すなわち、主制御部は、検出された誘導電流に基づいて、パイロット電位とされた状態で、電流Ｉｐから電流Ｉｑ（Ｉｐ＜＜Ｉｑ）に変化したと判断して高電圧印加可能と判定する。
【００３２】
主制御部は、ステップＳＡ１４で、切替部１３を制御してパイロット電位接点１３ｂから、治療用高電位接点１３ｃへ切り替える。これにより、下部電極８に治療用高電位が印加される。
【００３３】
次に、主制御部は、ステップＳＡ１５で、誘導電流の電流値がＩｂより小さいか否か判定する。これは、治療用の高電位が印加されたのち、被治療者Ｃが立ち上がるなど高電位を印加してはならない状態になったか否かを判定するものである。そして、誘導電流の電流値がＩｂより小さい場合はステップＳＡ１６へ進み、電流値がＩｂ以上の場合はステップＳＡ１４へ戻る。すなわち、主制御部は検出された誘導電流に基づいて治療用高電位とされた状態で、被治療者Ａが椅子４に座っている状態で流れる電流Ｉｒから、電流Ｉｓ（Ｉｓ＜＜Ｉｒ）に変化したと判断して、出力遮断要と判定する。主制御部は、ステップＳＡ１６で、切替部１３を制御して治療用高電位接点１３ｃからＯＦＦ接点１３ａへ切り替える。これにより、下部電極８への高圧電位の出力が遮断される。
【００３４】
この実施の形態の構成によれば、まず、下部電極８に感電の危険性がないパイロット電位を印加し、座電極７における誘導電流を計測して被治療者Ａの椅子４への着座に伴う電流値の変化によって高電圧印加可否を判定し、高電圧印加可能と判定された場合に治療用高電圧を通電台５に印加するので、電位治療器２へ乗る場合に、被治療者Ａを絶縁状態にすることなく、かつ、安全を確保することができる。
【００３５】
また、被治療者Ａが椅子４から離れるのに伴う電流値の変化によって出力遮断要否を判定し、出力遮断要と判定された場合に出力を遮断するので、電位治療器２から降りる場合に、被治療者Ａを絶縁状態にすることなく、かつ、安全を確保することができる。したがって、従来用いられてきた絶縁台を不要とし、構成を簡略化することができる。また、被治療者Ａにとっては、絶縁台が不要になるので治療を受ける際の煩雑さがなくなる。
【００３６】
さらに、被治療者Ａが椅子４から離れるのに伴う電流値の変化によって出力遮断要否を判定し、出力遮断要と判定された場合に、高電位の出力を遮断するので、治療中でないすなわち被治療者Ｃがいないにも関わらず、高電圧が印加されているようなことがなく、電力の無駄を防止するとともに電位治療装置１の劣化を防止し、長寿命化を図ることができる。
【００３７】
（実施の形態２）
図５はこの発明の実施の形態２による電位治療装置の構成を示す斜視図、図６及び図７は同電位治療装置の構成及び機能を説明するための説明図、図８は同電位治療装置の高電圧発生装置の構成を説明するための回路図、図９は同電位治療装置の動作を説明するための処理手順図である。
【００３８】
図５乃至図８に示すように、この実施の形態２の電位治療装置１７は電位治療器１８と、高電圧発生装置１９とを備えている。電位治療器１８は被治療者Ｂが座る椅子２０と、被治療者Ｂの足が載置される通電台２１と、ヘッドカバー２２とを有する。椅子２０は絶縁体で覆われ、その座部２３には座電極２４が埋設されている。通電台２１及びヘッドカバー２２は絶縁体で覆われ、内部には下部電極２５及び上部電極２６がそれぞれ埋設され、下部電極２５と上部電極２６との電位差により治療が行われる。
【００３９】
また、椅子２０を構成し、被治療者Ｂの下半身側面部を覆うサイドウォールの上部には、開始スイッチを含む操作部２７が配置されている。座電極２４は、高電圧発生装置１９の検出用端子３５ｅに接続され、下部電極２５及び上部電極２６は、電圧出力端子３５ｄ，３５ｃにそれぞれ接続され、操作部２７の開始スイッチは、接続端子３５ｆ，３５ｇに接続されている。
【００４０】
図６乃至図８に示すように、高電圧発生装置１９は、構成各部を制御し安全装置を兼ねるコントローラ２９と、商用電源Ｓｂの電圧を昇圧する昇圧トランス３１と、昇圧トランス３１の一次側のタップを切り替えるための切替部３２と、それぞれ下部電極２５及び上部電極２６による感電を防止するために出力インピーダンスを高める安全抵抗３３ｂ，３３ａと、昇圧トランス３１の二次巻線３１ｂの両端と、アース及び安全抵抗３３ｂとの接続を切り替えるための接続切替部３４と、商用電源Ｓｂに接続される入力端子３５ａ，３５ｂと、座電極２４が接続される検出用端子３５ｅと、下部電極２５が接続される電圧出力端子３５ｄと、上部電極２６が接続される電圧出力端子３５ｃと、操作部２７の開始スイッチが接続される接続端子３５ｆ，３５ｇとを有する。なお、図６及び図７で、符号１９が示す箇所は、「極性」を説明するために用いている。
【００４１】
コントローラ２９は、ＣＰＵを含む主制御部と、座電極２４における誘導電流を計測するための電流計測部２８とを有する。主制御部は、誘導電流検知処理と、高電圧印加可否判定処理と、極性切替制御処理と、出力遮断要否判定処理とを実行する。主制御部は電流計測部からの信号に基づいて座電極２４における誘導電流を検出して誘導電流検知処理を行う。
【００４２】
主制御部は検出された誘導電流に基づいてパイロット電位とされた場合に、被治療者Ｂが通電台２１に立ち、椅子２０に座っていない状態で流れる電流Ｉｐから、椅子２０に座った状態で流れる電流Ｉｑ（Ｉｐ＜＜Ｉｑ）に変化したと判断して、電圧印加可能と判定して高電圧印加可否判定処理を行う。そして、主制御部は誘導電流Ｉが所定の電流値Ｉａ（例えば、Ｉａ＝Ｉｐ）を越えた場合（Ｉ＞Ｉａ）に、高電圧印加可能と判定する。これにより、主制御部は切替部３２を制御してパイロット電位接点３２ｂから、治療用高電位接点３２ｃへ切り替える。
【００４３】
主制御部は、極性切替制御処理で、高電圧印加可否判定処理で高電圧印加不可と判定されたような場合、すなわち、下部電極２５及び上部電極２６にパイロット電位を印加する場合には、図６に示すように、下部電極２５及び上部電極２６の電圧位相が同相となるように、接続切替部３４を制御する。また、主制御部は、高電圧印加可否判定処理で高電圧印加可と判定されたような場合、すなわち、下部電極２５及び上部電極２６に治療用高電位を印加する場合には、図７に示すように、下部電極２５及び上部電極２６の電圧位相が逆相となるように、接続切替部３４を制御する。
【００４４】
主制御部は検出された誘導電流に基づいて治療用高電位とされた場合に、被治療者Ｂが椅子２０に座っている状態で流れる電流Ｉｒ（Ｉｑ＜＜Ｉｒ）から、椅子２０から離れて通電台２１に立った状態で流れる電流Ｉｓ（Ｉｓ＜＜Ｉｒ）に変化したと判断して、出力遮断要と判定して出力遮断要否判定処理を行う。すなわち、主制御部は、誘導電流Ｉが所定の電流値Ｉｂ（例えば、Ｉ＝Ｉｒ）より小さくなった場合（Ｉ＜Ｉｂ）に、出力遮断要と判定する。これにより、主制御部は、切替部３２を制御して、治療用高電位接点３２ｃからＯＦＦ接点３２ａへ切り替える。
【００４５】
切替部３２は、昇圧トランス３１の一次側に設けられ、入力を切断するためのＯＦＦ接点３２ａと、二次側に感電に危険性のない低電圧を発生させるためのパイロット電位接点３２ｂと、二次側に治療用の高電圧（例えば、７０００Ｖ〜９０００Ｖ）を発生させるための治療用高電位接点３２ｃとを有する。また、昇圧トランス３１の二次側巻線３１ａの一端には、安全抵抗３３ａが接続されるとともに、他端はアースに接続される。また、二次側巻線３１ｂの一端は、接続切替部３４を介して安全抵抗３３ｂ又はアースに接続されるとともに、他端は接続切替部３４を介してアース又は安全抵抗３３ｂに接続される。
【００４６】
次に、図９を参照して、この実施の形態の電位治療装置１７の動作について説明する。コントローラ２９の主制御部は、開始スイッチがオンとされると（ステップＳＢ１１（図９））、図６に示すように、下部電極２５及び上部電極２６の電圧位相が同相となるように、接続切替部３４を制御し（ステップＳＢ１２）、かつ、切替部３２を制御して、ＯＦＦ接点３２ａから、パイロット電位接点３２ｂへ切り替える。これにより、下部電極２５及び上部電極２６にパイロット電位が印加される（ステップＳＢ１３）。
【００４７】
この状態で、被治療者Ｂは、通電台２１に立った後、椅子２０に座る。この状態では、図６に示すように、二次巻線３１ａ、上部電極２６、被治療者Ｂ、座電極２４及び電流計測部２８を含む経路に沿って流れる電流Ｉｃと、二次巻線３１ｂ、下部電極２５、被治療者Ｂ、座電極２４及び電流計測部２８を含む経路に沿って流れる電流Ｉｄとが、下部電極２５及び上部電極２６が同じ極性であることにより、同じ向きに電流計測部２８に流れる。このとき、電流計測部２８に流れる電流Ｉは、（｜Ｉ｜＝｜Ｉｃ＋Ｉｄ｜＝｜Ｉｃ｜＋｜Ｉｄ｜）となる。これにより、下部電極２５及び上部電極２６が逆の極性である場合には、（｜Ｉ｜＝｜Ｉｃ＋Ｉｄ｜＝｜｜Ｉｃ｜―｜Ｉｄ｜｜）となり、相殺されて信号が弱められてしまうのに対し、弱い誘導電流であっても、電流計測部２８によって容易に検出される。
【００４８】
次に、主制御部は、ステップＳＢ１４で、誘導電流がＩａを越えるか否か判定し、誘導電流がＩａを越える場合は、ステップＳＢ１５へ進み、誘導電流がＩａ以下の場合は、ステップＳＢ１３へ戻る。すなわち、主制御部は、検出された誘導電流に基づいて、パイロット電位とされた状態で、電流Ｉｐから電流Ｉｑ（Ｉｐ＜＜Ｉｑ）に変化したと判定すると、高電圧印加可能と判定する。
【００４９】
主制御部は、ステップＳＢ１５で、図７に示すように、下部電極２５及び上部電極２６の電圧位相が逆相となるように、接続切替部３４を制御し、かつ、ステップＳＢ１６で、切替部３２を制御して、パイロット電位接点３２ｂから、治療用高電位接点３２ｃへ切り替える。これにより、下部電極２５及び上部電極２６に治療用高電位が印加される。
【００５０】
この状態では、図７に示すように、二次巻線３１ａ、上部電極２６、被治療者Ｂ、座電極２４及び電流計測部２８を含む経路に沿って流れる電流Ｉｃと、二次巻線３１ｂ、下部電極２５、被治療者Ｂ、座電極２４及び電流計測部２８を含む経路に沿って流れる電流Ｉｄとが、下部電極２５及び上部電極２６が逆の極性であることにより、逆向きに電流計測部２８に流れる。
【００５１】
次に、主制御部は、ステップＳＢ１７で、電流値がＩｂより小さいか否か判定し、電流値がＩｂより小さい場合は、ステップＳＡ１８へ進み、電流値がＩｂ以上の場合は、ステップＳＢ１６へ戻る。すなわち、主制御部は、検出された誘導電流に基づいて、治療用高電位とされた場合に、被治療者Ｂが椅子２０に座っている状態で流れる電流Ｉｒから、Ｉｓ（Ｉｓ＜＜Ｉｒ）に変化したと判定すると、出力遮断要と判定する。
【００５２】
主制御部は、ステップＳＢ１８で、切替部３２を制御して、治療用高電位接点３２ｃからＯＦＦ接点３２ａへ切り替える。これにより、出力が遮断される。
【００５３】
この実施の形態２の構成によれば、まず、通電台２１に感電の危険性がないパイロット電位を印加し、座電極２４における誘導電流を計測して、被治療者Ｂの椅子２０への着座に伴う電流値の変化によって高電圧印加可否を判定し、高電圧印加可能と判定された場合に、治療用高電圧を通電台２１に印加するので、電位治療器１８へ乗る場合に、被治療者Ｂを絶縁状態にすることなく、かつ、安全を確保することができる。
【００５４】
また、被治療者Ｂが椅子２０から離れるのに伴う電流値の変化によって出力遮断要否を判定し、出力遮断要と判定された場合に、出力を遮断するので、電位治療器１８から降りる場合に、被治療者Ｂを絶縁状態にすることなく、かつ、安全を確保することができる。したがって、従来用いられてきた絶縁台を不要とし、構成を簡略化することができる。
【００５５】
さらに、被治療者Ｂが椅子２０から離れるのに伴う電流値の変化によって出力遮断要否を判定し、出力遮断要と判定された場合に、出力を遮断するので、治療中でないにも関わらず、高電圧が印加されているようなことがないので、電位治療装置１７の劣化を防止し、長寿命化を図ることができる。
【００５６】
さらにまた、下部電極２５及び上部電極２６にパイロット電位を印加する場合には、下部電極２５及び上部電極２６の電圧位相が同相となるように、接続切替部３４を制御し、下部電極２５及び上部電極２６に治療用高電位を印加する場合には、下部電極２５及び上部電極２６の電圧位相が逆相となるように、接続切替部３４を制御するので、パイロット電位を印加する場合には、二次巻線３１ａ、上部電極２６、被治療者Ｂ、座電極２４及び電流計測部２８を含む経路に沿って流れる電流Ｉｃと、二次巻線３１ｂ、下部電極２５、被治療者Ｂ、座電極２４及び電流計測部２８を含む経路に沿って流れる電流Ｉｄとが、同じ向きに電流計測部２８に流れる。
【００５７】
したがって、電流計測部２８に流れる電流Ｉは、（｜Ｉ｜＝｜Ｉｃ＋Ｉｄ｜＝｜Ｉｃ｜＋｜Ｉｄ｜）となり、弱い誘導電流であっても、電流計測部２８によって容易にかつ確実に検出される。したがって、被治療者Ｂの着座の検知の精度を向上させることができる。
【００５８】
また、下部電極２５及び上部電極２６に治療用高電位を印加する場合には、下部電極２５及び上部電極２６の電圧位相が逆相となるように、接続切替部３４を制御するので、治療のための十分な電位差を確保することができる。
【００５９】
以上、この発明の実施の形態を図面を参照して詳述してきたが、具体的な構成はこれらの実施の形態に限られるものではなく、この発明の要旨を逸脱しない範囲の設計の変更等があってもこの発明に含まれる。例えば、上述した実施の形態１では、主電極として、下部電極を配置した場合について述べたが、下部電極のほかに、被治療者の頭部に対置させる上部電極をヘッドカバーに埋設して配置しても良い。また、主電極を３つ以上又は３組以上配置しても良い。また、実施の形態２で、下部電極及び上部電極のほかに、主電極を配置しても良いし、例えば、下部電極及び上部電極をそれぞれ一対ずつ配置しても良い。
【産業上の利用可能性】
【００６０】
椅子のほか、ベッド等と一体化させる場合にも適用できる。
【符号の説明】
【００６１】
１  電位治療装置
２  電位治療器
３  高電圧発生装置
４  椅子
５  通電台
６  座部
７  座電極（検出用電極）
８  下部電極（主電極）
９  操作部
９ａ  開始スイッチ
１１  コントローラ（着座検知手段、高電圧印加可否判定手段、高電圧印加制御手段、出力遮断要否判定手段、出力遮断制御手段）
１２  昇圧トランス
１３  切替部
１３ａ  ＯＦＦ接点
１３ｂ  パイロット電位接点
１３ｃ  治療用高電位接点
１４  安全抵抗
１６ａ，１６ｂ  入力端子
１６ｃ  電圧出力端子
１６ｄ  検出用端子
１６ｅ，１６ｆ  接続端子
１７  電位治療装置
１８  電位治療器
１９  高電圧発生装置
２０  椅子
２１  通電台
２２  ヘッドカバー
２３  座部
２４  座電極（検出用電極）
２５  下部電極（主電極、第２の主電極）
２６  上部電極（主電極、第１の主電極）
２７  操作部
２８  電流計測部
２９  コントローラ（着座検知手段、高電圧印加可否判定手段、高電圧印加制御手段、出力遮断要否判定手段、出力遮断制御手段、極性制御手段）
３１  昇圧トランス
３２  切替部
３２ａ  ＯＦＦ接点
３２ｂ  パイロット電位接点
３２ｃ  治療用高電位接点
３３ａ，３３ｂ  安全抵抗
３４  切替接続部
３５ａ，３５ｂ  入力端子
３５ｃ，３５ｄ  電圧出力端子
３５ｅ  検出用端子
３５ｆ，３５ｇ  接続端子
１０１  電位治療装置
１０２  電位治療器
１０３  高電圧発生装置
１０４  椅子
１０５  通電台
１０６  絶縁台
１０７  下部電極
１０８  コントローラ
１０９  昇圧トランス
１１１  開閉スイッチ
１１２  安全抵抗
Ａ，Ｂ，Ｃ  被治療者
Ｉａ，Ｉｂ  電流
Ｓａ，Ｓｂ，Ｓｄ  商用電源
【図１】
2011024781.tif 000003
【図２】
2011024781.tif 000004
【図３】
2011024781.tif 000005
【図４】
2011024781.tif 000006
【図５】
2011024781.tif 000007
【図６】
2011024781.tif 000008
【図７】
2011024781.tif 000009
【図８】
2011024781.tif 000010
【図９】
2011024781.tif 000011
【図１０】
2011024781.tif 000012